(57)【要約】【課題】  指輪サイズ補正具を長時間しても指を締め付ける等の不快感がなく使用でき、しかも指輪から脱落することなく指輪と確実に一体化して安心して使用できる指輪サイズ補正用パッドとすることである。【解決手段】  指輪Ａの内側に沿って取り付けられる所定肉厚の低反発性ポリウレタンフォームからなる環状体１の一部または全体からなる指輪のサイズ補正用パッドであり、環状体１の表面に滑り止め用塗料２が塗布された指輪のサイズ補正用パッドとする。低反発性ポリウレタンフォームからなり、その反発弾性力が弱いため、指に圧迫感を与えず、弾性変形後の復帰時間にタイムラグがあるために血流量も増える。【選択図】図１
2008295526.tif 000002
【特許請求の範囲】
【請求項１】
指輪の内側に沿って取り付けられる所定肉厚の低反発性ポリウレタンフォームからなる環状体の一部または全体からなる指輪のサイズ補正用パッド。
【請求項２】
指輪の内側に沿って取り付けられる所定肉厚の低反発性ポリウレタンフォームからなる環状体の一部または全体からなり、前記環状体の表面に滑り止め用塗料を塗布してなる指輪のサイズ補正用パッド。
【請求項３】
滑り止め用塗料が、ポリウレタン樹脂系塗料である請求項２に記載の指輪のサイズ補正用パッド。
【請求項４】
滑り止め用塗料に代えて、または滑り止め用塗料と共にゲル状樹脂成形体からなる滑り止め用凸部を環状体の指輪との接触面に突出させて設けた請求項２または３に記載の指輪のサイズ補正用パッド。
【発明の詳細な説明】
【技術分野】
【０００１】
この発明は、指輪の内側にパッドを取り付けて指径と指輪径との径差を補正する指輪のサイズ補正用パッドに関する。
【背景技術】
【０００２】
長期間大切に使用されている指輪、または保管されている貴金属製の指輪は、使用当初の指輪径が使用者の指径に整合しなくなっている場合がある。
これは指輪のサイズ調整が熟練を要する作業であり専門店での修理が必要なため、頻繁に調整することが困難であり、指輪の購入後にそのまま調整せずに長年使用していると、気づかないうちに体格が変化して、指径も徐々に変化するからである。
【０００３】
例えば高齢化すると徐々に指径は細くなり、ある程度まで指径と指輪径との径差が大きくなると、指輪が指から抜け落ちやすくなり、紛失する危険性も高まる。
もちろんダイエットをすれば、急激に指径も細くなる場合もある。
そのように紛失の危険が高まるまでにはならなくても、指輪の台座や宝石の重みで指周りに不安定に回転しやすくなり、指輪の位置や姿勢が不安定化して見栄えが悪くなる場合は往々にしてあることである。
【０００４】
ところで、そのような問題が生じた際に、指径と指輪径との径差を簡易に補正する指輪サイズ補正用パッドが知られており、例えばシリコンゴムなどの柔軟性のある樹脂をリング状に形成し、指輪の内側に嵌めて用いられる指輪補正具が知られている（特許文献１）。
【０００５】
また、指の腹側に指輪との隙間が生じた場合に、その隙間に挟み込んで使用できる楕円球状のパッドがあり、その素材としては一般的なスポンジ状の反発弾性のある発泡ポリウレタンやスポンジが知られている（特許文献２）。
【０００６】
【特許文献１】実用新案登録第３１２２６５３号公報（特許請求の範囲、図１）
【特許文献２】特開平１１−２４４０１６号公報（段落［００２２］の第３文）
【発明の開示】
【発明が解決しようとする課題】
【０００７】
しかし、上記した従来の指輪補正具は、通常の弾性素材の反発力によって指径と指輪径との径差を補正しているため、加圧・減圧変形に対して常に高速で追従する強い弾性力が発生しており、そのまま長時間の使用をし続けると、常に指を締め付けられることになるため、圧迫感、血流量の低下、通気性の低下、その他に起因する不快感が生じる問題点がある。
【０００８】
また、特許文献２に記載された発泡ポリウレタン製の枕型パッドでは、発泡ポリウレタンの種類が一般的なものであり、指を圧迫しないための調整はなされていない。
そのような枕型のパッドは、指輪と充分に一体化せず、指輪から離れて脱落する可能性があるため、指輪の位置や姿勢が不安定になりやすい。
【０００９】
そこで、この発明の課題は上記した問題点を解決し、指輪サイズ補正具を長時間しても指を締め付ける等の不快感がなく使用でき、しかも指輪から脱落することなく指輪と確実に一体化して安心して使用できる指輪のサイズ補正用パッドとすることである。
【課題を解決するための手段】
【００１０】
上記の課題を解決するために、この発明では、指輪の内側に沿って取り付けられる所定肉厚の低反発性ポリウレタンフォームからなる環状体の一部または全体からなる指輪のサイズ補正用パッドとしたのである。
【００１１】
上記したように構成されるこの発明の指輪のサイズ補正用パッドは、環状体の一部（弧型）または全体（リング型）からなる形態であり、指輪の内側に沿わせて指径と指輪径の径差以上の肉厚の低反発性ポリウレタンフォームからなり、その反発弾性力が弱くて指に圧迫感を殆ど与えない。
【００１２】
また低反発性ポリウレタンフォームからなる補正用パッドが、圧縮変形されている状態からの復元速度が、通常の発泡ポリウレタンよりもかなり遅いため、指を曲げ伸ばしする際に圧迫感が少なく、弾性変形の後の復帰時間にタイムラグがあるために血流量も増えるものと考えられる。
【００１３】
指輪のサイズ補正用パッドは、環状体の全体を必ず使用するものばかりではなく、指と指輪との径差が小さく、環状体の全体を使用する必要がない場合には、適宜にその一部を鋏やカッターなどで切り分けて、環状体の一部のみを適当な長さだけ弧状にして使用することもできる。
【００１４】
このようにして使用されると、長時間の使用をしても指を締め付けられるような不快感が生じることがなく、しかも、指輪を確実に保持することが可能になる。
指輪とサイズ補正用パッドがズレ動かないようにするためには、前記環状体の表面に滑り止め用塗料を塗布した指輪のサイズ補正用パッドとすることが好ましい。
【００１５】
また、滑り止め用塗料に代えて、または滑り止め用塗料と共にゲル状樹脂成形体からなる滑り止め用凸部を環状体の指輪との接触面に突出させて設けた前記の指輪のサイズ補正用パッドとすることもできる。
滑り止め用凸部は、ゲル状樹脂成形体からなり粘着性を有していると共に、環状体の指輪との接触面に突出しているので、指の表面とパッドとの係止力が向上し、滑り止め用塗料だけでは止めることのできないパッドズレ動きをも制止することができる。
【００１６】
前記の滑り止め塗料としては、ポリウレタン樹脂系塗料を採用すると低反発性ポリウレタンフォームとの親和性がよく、しかも必要で充分な粘着性が発揮される。
【発明の効果】
【００１７】
この発明は、指輪の内側に沿って取り付けられる所定肉厚の低反発性ポリウレタンフォームからなる環状体の一部または全体からなる指輪のサイズ補正用パッドとしたので、指輪補正具の使用が長時間であっても指を締め付けるような不快感がないという利点がある。
特に、要所に滑り止め塗料を塗布したもの、特に滑り止め用凸部を併せて設けたものは、パットが指輪と指との間から滑り落ちることなく、安定して指輪を保持するので安心して使用できる指輪のサイズ補正用パッドとなる利点もある。
【発明を実施するための最良の形態】
【００１８】
この発明の実施形態を以下に添付図面に基づいて詳細に説明する。
図１〜５に示す第１実施形態のものは、指輪Ａの内側に沿って取り付けられる所定肉厚の低反発性ポリウレタンフォームからなる環状体１の全体からなる指輪のサイズ補正用パッドであり、環状体１の表面に滑り止め用塗料２が塗布された指輪のサイズ補正用パッドである。
【００１９】
図１、２に示すように、環状体１は、指Ｆに挿し嵌め、次いで指輪Ａをその上に嵌めれば殆ど見えない使用状態になる。
【００２０】
図３に示すように、環状体１は、指輪Ａの内周面との整合をよくして、密着性を高めるために環状の外周面１ａを凹曲面で形成することが好ましい。
【００２１】
そして、図４、５に示すように、少なくとも凹曲面に滑り止め用塗料２を塗布する。指に接する面に滑り止め用塗料２を塗布することも好ましい。
このような滑り止め用塗料２の効果が顕著なものでは、特に外周面１ａを凹曲面で形成せず、平面などで形成してもよい。
【００２２】
この発明に用いる低反発性ポリウレタンフォームは、低反発性になるよう可塑性成分を調整した周知のポリウレタン樹脂材料を発泡成形したものを採用できる。低反発性ポリウレタンフォームは、イソシアネート化合物とポリオールとをアミン類等の触媒の存在下で反応させても、あるいは予めイソシアネート化合物とポリオールとを反応させてＮＣＯ末端を有するプレポリマーを製造してから、ポリオール等の硬化剤と混合して硬化させたものでもよい。
【００２３】
イソシアネート化合物としては、ジフェニルメタンジイソシアネート（ＭＤＩ）、トリレンジイソシアネート（ＴＤＩ）、ポリメチレンポリフェニルポリイソシアネート（ジフェニルメタンジイソシアネート粗製物）等、従来公知の芳香族ポリイソシアネート；ジシクロヘキシルメタンジイソシアネート、イソホロンイソシアネートなどの従来公知の脂肪族イソシアネートの１種または２種以上の混合物が挙げられる。
【００２４】
また、ポリオールとしては、ポリエーテルポリオール、ポリエステルポリオール、ポリマーポリオール等が挙げられる。ポリエーテルポリオールとしては、ポリプロピレンポリオール（ＰＰＧ）、ポリエチレンポリオール（ＰＥＧ）等が挙げられる。
【００２５】
これらのポリオール類は、単独で使用してもよく、あるいは２種以上を併用してもよいが、いずれの場合においても、重量平均分子量３００〜２０００、特に、５００〜１５００のものを使用するのが反応性、作業性の点で好ましい。
【００２６】
低反発連続気泡の軟質ポリウレタンフォームの製造においては、公知の触媒、発泡剤、整泡剤、着色剤、酸化防止剤などの添加剤を使用することも好ましい。
【００２７】
発泡剤としては、公知の発泡剤を使用することができるが、水、メチレンクロライド等が例示され、特に水又は水とメチレンクロライドを併用した発泡剤を使用することが好ましい。
【００２８】
好ましい低反発連続気泡の軟質ポリウレタンフォームとしては、エチレンオキサイドとプロピレンオキサイドの共重合体ポリエーテルポリオール化合物であってエチレンオキサイドの含有率が２０〜９０重量％のポリオール化合物を使用して製造することができる。
【００２９】
通気度、平均気泡径は、公知の方法により調整可能であり、例えば発泡剤の種類、添加
量、整泡剤の種類や添加量の調整により制御することができる。
【００３０】
その他の条件としては、例えば平均官能基数が２〜５で水酸基価２０〜６０ｍｇＫＯＨ／ｇのポリオール、平均官能基数が１．５〜４．５で水酸基価２００〜３００ｍｇＫＯＨ／ｇのポリオール、平均官能基数が２〜６で水酸基価８０〜１５０ｍｇＫＯＨ／ｇ、かつエチレンオキシドユニット含有率が５〜３０％のポリオールの３種のポリオールを特定比率で併用したポリウレタンフォーム（特開平９−１２４７６４号公報）などを採用することも好ましいことである。
【００３１】
このようにして低反発性ポリウレタンフォームを製造すると、例えば約９６〜１９２ｋｇ／ｍ３の密度を有し、８０パーセントの圧縮から４５秒内で初期横断面寸法の約９０パーセント以下を復元するのに充分な復元率を有する程度の低反発弾性を有するものを得ることができる。
【００３２】
この発明に用いる滑り止め用塗料としては、ウレタン樹脂塗料またはウレタン樹脂ワックスなどのウレタン樹脂系の塗料が作業性およびその被膜の弾力性などの点で好ましく、塗布の作業性の良い市販の２液型のウレタン樹脂塗料を用いることができる。粘着性を高めるためによく知られた粘着付与剤（可塑剤）であるフタル酸エステルなどを配合することも好ましいことである。
【００３３】
この発明の第２実施形態を以下に図６、７に基づいて説明する。
第２実施形態の環状体３は、第１実施形態の環状体の外周面に、ゲル状樹脂成形体からなり、かまぼこ型で棒状の複数個（図示したものは軸周りに４５度間隔で８個配置している。）の滑り止め用凸部４を、環状の周方向に適当な間隔を開けて並列状に配置し、低反発性ポリウレタンフォームに下部を埋設し、例えば０．５〜１ｍｍ程度に突出させた状態で固定している。
【００３４】
ゲル状樹脂成形体は、表面に粘着性を有する樹脂成形体であればよく、たとえばゲル状の粘着性を有する樹脂材として、スチレン、ウレタン、アクリル樹脂等からなるエラストマーが挙げられる。ウレタン系エラストマーの市販品としては、イノアックコーポレーション社製ＮＡＧＦＬＥＸ−ＰＵなどが挙げられる。
【００３５】
ゲル状樹脂成形体の形状は、図示した短い棒状のものの他にも、球状、半球状、楕円球状、半楕円球状など、周知の立体形状であってもよく、摩擦係数ができるだけ高くなり、しかも肌触りの良い突起物となるように形成したものが好ましい。
【００３６】
第２実施形態のような環状体の一部または全体からなる指輪のサイズ補正用パッドは、環状の軸周りに例えば１２０度の間隔など、その他適宜な間隔で切り取り線５を印字するなどして表示し、必要に応じて使用者がナイフや鋏で分割して使用することができる。分割された弧形片は、指輪と指の間のごく僅かな隙間を埋めるように適したサイズ補正用パッドとして用いることができる。
【図面の簡単な説明】
【００３７】
【図１】第１実施形態および被装着用の指輪を示す斜視図
【図２】第１実施形態の使用状態を示す斜視図
【図３】第１実施形態の使用状態を示す要部拡大の軸方向断面図
【図４】第１実施形態の滑り止め用塗料の塗布箇所を説明する要部拡大断面図
【図５】第１実施形態の滑り止め用塗料の塗布箇所を説明する要部拡大断面図
【図６】第２実施形態の一部を切欠いて示す一部断面正面図
【図７】第２実施形態の要部拡大の軸方向断面図
【符号の説明】
【００３８】
１、３  環状体
２  滑り止め用塗料
４  滑り止め用凸部
５  切り取り線
Ａ  指輪
Ｆ  指
【図１】
2008295526.tif 000003
【図２】
2008295526.tif 000004
【図３】
2008295526.tif 000005
【図４】
2008295526.tif 000006
【図５】
2008295526.tif 000007
【図６】
2008295526.tif 000008
【図７】
2008295526.tif 000009